【事件の表示】
　特許第３２００５４１号「シリアルプリンタ」の請求項１乃至３に係る特許に対する特許異議の申立てについて、次のとおり決定する。
【結　論】
　訂正を認める。
　特許第３２００５４１号の請求項１乃至３に係る特許を維持する。
【理　由】
１．手続きの経緯
　本件特許第３２００５４１号発明は、平成７年８月４日に出願され、平成１３年６月１５日にその特許の設定登録がなされ、その後、斉藤敬志より請求項１乃至３に係る発明について特許異議の申立てがなされ、取消理由通知がなされ、その指定期間内である平成１４年９月２日に訂正請求がなされたものである。
　
２．訂正の適否についての判断
（１）訂正の内容
　１）訂正事項ａ
　特許請求の範囲の請求項１中の「前記ディザテーブルの特定行において改行するように制御する制御部を有し、前記制御部は、記録データに基づく記録のうち記録行の少なくとも下端部の１ドットにおける記録データと、次の記録行の少なくとも上端部の１ドット」を「前記ディザテーブルの最下行を除く特定行において改行するように制御する制御部を有し、前記制御部は、記録データに基づく記録のうち記録行の下端部の１ドットにおける記録データと、次の記録行の上端部の１ドット」と、同請求項２中の「記録行の少なくとも下端部の１ドット」を「記録行の下端部の１ドット」と、それぞれ訂正する。
　２）訂正事項ｂ
　明細書段落【００１５】中の「シリアルプリンタは、請求項１において、記録データに基づく記録のうち記録行の少なくとも下端部の１ドットにおける記録データと、次の記録行の少なくとも上端部の１ドット」を「シリアルプリンタは、ディザテーブルの最下行を除く特定行において改行するように制御するとともに、記録データに基づく記録のうち記録行の下端部の１ドットにおける記録データと、次の記録行の上端部の１ドット」と訂正する。
　３）訂正事項ｃ
　明細書段落【００１６】中の「記録行の少なくとも下端部の１ドット」を「記録行の下端部の１ドット」と訂正する。
　
（２）訂正の目的、新規事項の有無、拡張変更の存否の各要件についての判断
　１）訂正事項ａについて
　本訂正は、改行する特定行がディザテーブルの最下行を除く特定行であり、同一の記録データに基づいて記録される下端部と上端部のドットが１ドットであることを、願書に添付した明細書又は図面に記載した事項（特に、明細書段落【００２７】，【００２９】等参照）の範囲内で限定するものであり、特許請求の範囲の減縮を目的とし、新規事項の追加に該当せず、実質上特許請求の範囲を拡張し又は変更するものでもない。
　２）訂正事項ｂ，ｃについて
　これらの訂正は、訂正された特許請求の範囲に発明の詳細な説明の記載を整合させるためのものであり、明りょうでない記載の釈明を目的とし、新規事項の追加に該当せず、実質上特許請求の範囲を拡張し又は変更するものでもない。
　
（３）訂正の適否のまとめ
　以上のとおりであるから、上記訂正は、特許法第１２０条の４第２項及び同条第３項において準用する特許法第１２６条第２，３項の規定に適合するので、当該訂正を認める。
　
３．異議申立てについての判断
（１）本件請求項１乃至３に係る発明
　本件請求項１乃至３に係る発明は、訂正明細書の特許請求の範囲の請求項１乃至３に記載された次の事項により特定されるとおりのものである。
「【請求項１】プラテンに沿って往復動するキャリッジと、このキャリッジの前記プラテンに対向する位置に搭載した記録ヘッドと、前記プラテンと前記記録ヘッドとの間に記録紙を搬送する紙送りローラとを有するシリアルプリンタにおいて、中間調画像を記録する場合にＮ×Ｍ（Ｎ、Ｍは４以上の整数）のディザテーブルに従って二値の記録データに変換処理し、この二値の記録データに基づいて前記記録ヘッドによる記録を制御するとともに、改行する際には前記ディザテーブルの最下行を除く特定行において改行するように制御する制御部を有し、前記制御部は、記録データに基づく記録のうち記録行の下端部の１ドットにおける記録データと、次の記録行の上端部の１ドットにおける記録データとが同一の記録データに基づいて記録されるように制御するように構成されていることを特徴とするシリアルプリンタ。
　【請求項２】前記制御部は、前記紙送りローラによる改行時の記録紙の搬送量を記録行の下端部の１ドットに次の記録行の上端部の１ドットが重なるように制御することを特徴とする請求項１に記載のシリアルプリンタ。
　【請求項３】前記制御部は、改行前後における記録行の記録データのうち同一の記録データに基づいて記録する場合に、その同一の記録データのうち特定位置の記録データを改行前または改行後のいずれか一方の記録行において記録しないように制御することを特徴とする請求項１に記載のシリアルプリンタ。」
　
（２）異議申立ての理由と証拠
　異議申立人斉藤敬志は、本件請求項１乃至３に係る発明は特許法第２９条第１項第３号に規定する発明に該当し、あるいは特許法第２９条第２項の規定により特許を受けることができないものであり、その特許は拒絶の査定をしなければならない特許出願に対してされたものであるから取り消されるべきである旨主張し、証拠として甲第１号証及び甲第２号証を提出している（当審が通知した取消理由はこの主張理由と証拠を採用したものである）。
　１）甲第１号証：特開昭６１−１１１０６７号公報
　ａ．「一方、第２図（Ｂ）に示す例は記録ヘッドを歩進送りさせる代わりに記録紙を送る構造のもので、１２８個のノズルから成るインクジェットノズル４を備えた記録ヘッド２はキャリッジ１３を介して案内軸１４に摺動自在に取付けられている。キャリッジ１３はモータ１５によって走行されるベルト１６の途中に連結されており、矢印７で示すｘ方向へ走行され、記録紙１上に記録範囲８を得る。一方、符号１７で示すものはステッッピングモータで、このステッピングモータ１７により矢印１２で示すｙ方向へ記録紙をステップ送りする。本発明は第２図（Ａ），（Ｂ）のいずれの方式のものにも適用できる」（２頁右上欄１７行〜左下欄１２行）、
　ｂ．「入力データにｙ方向ｍ，ｘ方向ｎのディザマトリックスをかけ、擬似中間調表現をした時に記録ヘッドを送る距離ｃをノズルの長さｂよりもｙ方向のマトリックスサイズ（１／ｍ）の整数倍だけ短くする。ここではｍ＝４，ｎ＝４の４×４マトリックスを例に挙げ、送りの距離ｃはノズルの長さｂよりも４ドット分だけ短い例を示す。ただ単にこのまま記録ヘッドを送ってゆくと第３図に示すように前回と次回の記録範囲が４ドット分だけ重複してしまう。そこで、本発明においては単なる重複を避けるために重複する記録範囲のマトリックスのうち、前に記録したものと、後に記録したもののうち、どちらを選択するかをマトリックス毎に選択する方式を採用した。この状態を第４図に示す。第４図に示した例は４×４のディザマトリックスで渦巻や網点などのファッティングパターンを用いグレイのレベルを表現したもので、点線で示した４×４マトリックスのうち、斜線で示した部分を記録する。そして、１走査目と２走査目が４ドットライン分重複する範囲で１走査目と２走査目のマトリックスのうちいずれか一方を交互に選択し重複部分が相補的になるように記録を行なう。」（２頁左下欄末行〜３頁左上欄５行）、
　ｃ．「第６図に於て符号１８で示すものはディザマトリックスをかけるためのディザＲＯＭ（リードオンリメモリ）で、行アドレスと列アドレスとが４進カウンタ１９，２０を介して入力される。ディザＲＯＭ１８の出力はコンパレータ２１に入力され、入力データと比較される。」（３頁左上欄８〜１３行）、
　ｄ．「オアゲート２８の出力とコンパレータ２１の出力はアンドゲート２９に入力され、このアンドゲート２９の出力は記録出力データとなる。」（３頁右上欄６〜８行）、
　ｅ．「以上の様な回路構成のもとに、入力データはヘッドのノズルの配列方向で何ドット目か（行アドレス）と、走査方向で何列目か（列アドレス）によって定められたしきい値レベルとコンパレータ２１に於て比較される。そして、ノズルの１２５ないし１２８ドット目を出力するかどうかは選択駆動ＲＯＭ２３によって定める。選択駆動ＲＯＭ２３はカウンタ２２の出力である列アドレスによって選択的な駆動信号を送り出す。１ないし４ドット目の選択駆動する信号は前の走査の１２５ないし１２８ドット目を選択駆動する信号、即ち第７図及び第８図の（ｃ）の反転信号、即ち第７図及び第８図の（ｄ）の信号である。前の走査で１２５ないし１２８ドット目を駆動した列は次の走査では１ないし４ドット目を駆動しない。また、前の走査で１２５ないし１２８ドット目を駆動せず、データをＲＡＭに記憶した列は次の走査で１ないし４ドット目にＲＡＭ中のデータを読み出し駆動する。」（３頁右上欄１５行〜左下欄１７行）、
　ｆ．「上述した実施例に於ては１２５ないし１２８ドット目のデータをＲＡＭに記憶し次の走査の同じ列の１ないし４ドット目に出力する方法を採用したが、１２５ないし１２８ドット目のデータをＲＡＭに記憶せず、次の走査の同じ列の１ないし４ドットを駆動する場合には、前の走査の１２５ないし１２８ドットのデータをもう一度出力する方法によっても同様の画像を得ることができる。」（３頁右下欄４〜１１行）、
　ｇ．「境界部分の黒すじの発生等が生じず画像品位を高めることができる。」（４頁右上欄１８〜末行）、
等が図面と共に記載されている。
　これらの記載を対比のためにまとめると、甲第１号証記載の記録装置は、シリアルプリンタであり、かつ、二値の記録データに変換処理するものであることは明らかであるから、甲第１号証には次の発明が記載されている。
「往復動するキャリッジ１３と、このキャリッジ１３に搭載した記録ヘッド２と、前記記録ヘッド２に記録紙を搬送する部材とを有するシリアルプリンタにおいて、中間調画像を記録する場合に例えば４×４のディザマトリックスに従って二値の記録データに変換処理し、この二値の記録データに基づいて前記記録ヘッド２による記録を制御するとともに、改行する際には前記ディザマトリックスの最下行において改行するように制御する制御部を有し、前記制御部は、記録データに基づく記録のうち記録行の最後の４ドットにおける記録データと、次の記録行の最初の４ドットにおける記録データとが同一の記録データに基づいて記録され、かつ、４ドットライン分重複する範囲では前記最後の４ドットと前記最初の４ドットのいずれか一方を交互に選択して記録を行うように制御するように構成されていることを特徴とするシリアルプリンタ。」
　２）甲第２号証：特開平７−１２５３９６号公報
　ａ．「【従来の技術】第４図は一般的な熱転写プリンタを示したもので、フレーム１のほぼ中央部には平板状のプラテン２がその印字面がほぼ垂直となるように配設されており、このプラテン２の前側下方には、シャフト３がプラテン２と平行に配設されている。またフレーム１の前端縁には、フランジ状のガイド部４が形成されており、このガイド部４の内側縁には、ラック５が形成されている。シャフト３およびガイド部４にはキャリッジ６が取り付けられておりこのキャリッジ６はラック５に噛合する歯車をモータによって駆動することにより、シャフト３およびガイド部４に沿って往復動自在とされている。キャリッジ６の先端部には、プラテン２に対向するようにサーマルヘッド７が取り付けられており、キャリッジ６の側部には、キャリッジ６の上面に装着されるインクリボンカセット（図示せず）に収納されたインクリボンの終端部のマーカ部やカラーインクリボンの各色を表示するマーカ部を検出するためのフォトセンサ８が設置されている。」（明細書段落０００２）、
　ｂ．「またプラテン２の後方には印字用紙をプラテン２の前方に送る用紙挿入口９が形成されており、この用紙挿入口９の部分には所定速度で印字用紙を搬送する紙送りローラ１０が設けられている。この紙送りローラの下方には、この紙送りローラに圧接される圧接ローラ１１が回転自在に配設されており紙送りローラ１０とで用紙挿入口９から挿入される用紙を挟持して搬送するようになされている。」（明細書段落０００３）、
　ｃ．「用紙挿入口９から印字用紙を挿入し、この印字用紙を紙送りローラ１０と圧接ローラ１１とで挟持し、紙送りローラ１０を回転駆動させることにより、印字用紙をキャリッジ６の移動方向と直交方向に所定量搬送する。そしてインクリボン巻取り用モータを駆動し、所望の色のインク層が印字位置にくるまでインクリボンの巻取りを行なう。そのサーマルヘッド７をプラテン２に対して圧接した状態でキャリッジ６を移動させるとともにリボン巻取りモータを駆動して巻取りボビン１２を回転させてインクリボンを巻取りながらサーマルヘッド７を所望の記録信号に基づいて駆動することにより、記録用紙に所望の印字を行なうものである。」（明細書段落０００５）、
等が図面と共に記載されている。
　
（３）対比・判断
　１）本件請求項１に係る発明について
　本件請求項１に係る発明（前者）と甲第１号証記載の発明（後者）とを対比するに、後者の「記録ヘッド２に記録紙を搬送する部材」は「紙搬送部材」といえる点で前者の「紙送りローラ」と共通し、後者の「例えば４×４のディザマトリックス」は前者の「Ｎ×Ｍ（Ｎ、Ｍは４以上の整数）のディザテーブル」に対応し、後者の「ディザマトリックスの最下行において改行する」は「ディザテーブルの行に基づいて改行する」といえる点で前者の「ディザテーブルの最下行を除く特定行において改行する」と共通し、後者の「記録行の最後の４ドット」及び「記録行の最初の４ドット」は共に「記録行の一部」といえる点で前者の「記録行の下端部の１ドット」及び「記録行の上端部の１ドット」と共通するから、両者は、「往復動するキャリッジと、このキャリッジに搭載した記録ヘッドと、前記記録ヘッドに記録紙を搬送する紙搬送部材とを有するシリアルプリンタにおいて、中間調画像を記録する場合にＮ×Ｍ（Ｎ、Ｍは４以上の整数）のディザテーブルに従って二値の記録データに変換処理し、この二値の記録データに基づいて前記記録ヘッドによる記録を制御するとともに、改行する際には前記ディザテーブルの行に基づいて改行するように制御する制御部を有し、前記制御部は、記録データに基づく記録のうち記録行の一部における記録データと、次の記録行の一部における記録データとが同一の記録データに基づいて記録されるように制御するように構成されていることを特徴とするシリアルプリンタ。」において一致し、次の点で相違する。
　＜相違点１＞前者が、プラテンを備え、キャリッジの往復動はプラテンに沿うものであり、記録ヘッドのキャリッジへの搭載位置はプラテンに対向する位置であり、さらに、紙搬送部材として紙送りローラを備え、これによりプラテンと記録ヘッドとの間に記録紙を搬送しているのに対して、後者はプラテンや紙送りローラを備えているか否か定かでない点。
　＜相違点２＞前者が、ディザテーブルの行に基づく改行をディザテーブルの最下行を除く特定行において改行するとし、同一の記録データに基づいて記録される記録行の一部を記録行の下端部の１ドットと次の記録行の上端部の１ドットとしているのに対して、後者は、ディザテーブルの行に基づく改行をディザテーブルの最下行において改行するとし、同一の記録データに基づいて記録される記録行の一部を記録行の最後の４ドットと次の記録行の最初の４ドットとしている点。
　
　相違点１について検討するに、甲第２号証に、プラテン２に沿って往復動するキャリッジ６と、このキャリッジ６のプラテン２に対向する位置に搭載したサーマルヘッド７と、プラテン２とサーマルヘッド７との間に記録紙を搬送する紙送りローラ１０とが記載されていることから、この点は甲第２号証の記載に基づいて当業者が適宜なし得た設計の変更である。
　相違点２について検討するに、記録データに基づく記録のうち記録行の下端部の１ドットにおける記録データと次の記録行の上端部の１ドットにおける記録データとが同一の記録データに基づいて記録されるものにおいて、ディザテーブルの最下行を除く特定行において改行することについては、甲第１号証の記載から容易に想到できるものではなく、さらに、甲第２号証にも記載がなく、示唆する記載もないため、この点は当業者が容易に想到できたものとはいえない。
　しかも、本件請求項１に係る発明は、相違点２に係る構成を備えることにより、記録データに基づく記録のうち記録行の下端部の１ドットにおける記録データと次の記録行の上端部の１ドットにおける記録データとが同一の記録データに基づいて記録されることとディザテーブルの最下行を除く特定行において改行することとが相俟って、例えば実施例にあるようにディザテーブルの第１行と第５行とが交互に改行位置になるなどして、ホワイトラインやブラックラインの発生をより良く防止できるものである。
　したがって、本件請求項１に係る発明は、甲第１，２号証に記載された発明ではなく、甲第１，２号証に記載された発明に基づいて当業者が容易に発明をすることができたものでもない。
　
　２）本件請求項２，３に係る発明について
　本件請求項２，３に係る発明は、本件請求項１に係る発明の構成要件の全てを構成要件の一部とするものであるから、上記本件請求項１に係る発明についての判断と同様の理由により、甲第１，２号証に記載された発明ではなく、甲第１，２号証に記載された発明に基づいて当業者が容易に発明をすることができたものでもない。
　
４．むすび
　以上のとおりであるから、特許異議の申立ての理由によっては本件請求項１乃至３に係る発明についての特許を取り消すことはできない。
　また、他に本件請求項１乃至３に係る発明についての特許を取り消すべき理由を発見しない。
　したがって、本件請求項１乃至３に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１４年１０月４日（２００２．１０．４）
【訂正の要旨】
訂正の要旨
　１）訂正事項ａ
　特許請求の範囲の請求項１中の「前記ディザテーブルの特定行において改行するように制御する制御部を有し、前記制御部は、記録データに基づく記録のうち記録行の少なくとも下端部の１ドットにおける記録データと、次の記録行の少なくとも上端部の１ドット」及び同請求項２中の「記録行の少なくとも下端部の１ドット」を、特許請求の範囲の減縮を目的として、それぞれ、「前記ディザテーブルの最下行を除く特定行において改行するように制御する制御部を有し、前記制御部は、記録データに基づく記録のうち記録行の下端部の１ドットにおける記録データと、次の記録行の上端部の１ドット」及び「記録行の下端部の１ドット」と訂正する。
　２）訂正事項ｂ
　明細書段落【００１５】中の「シリアルプリンタは、請求項１において、記録データに基づく記録のうち記録行の少なくとも下端部の１ドットにおける記録データと、次の記録行の少なくとも上端部の１ドット」を、明りょうでない記載の釈明を目的として、「シリアルプリンタは、ディザテーブルの最下行を除く特定行において改行するように制御するとともに、記録データに基づく記録のうち記録行の下端部の１ドットにおける記録データと、次の記録行の上端部の１ドット」と訂正する。
　３）訂正事項ｃ
　明細書段落【００１６】中の「記録行の少なくとも下端部の１ドット」を、明りょうでない記載の釈明を目的として、「記録行の下端部の１ドット」と訂正する。
（５４）【発明の名称】
シリアルプリンタ
（５７）【特許請求の範囲】
　【請求項１】　プラテンに沿って往復動するキャリッジと、このキャリッジの前記プラテンに対向する位置に搭載した記録ヘッドと、前記プラテンと前記記録ヘッドとの間に記録紙を搬送する紙送りローラとを有するシリアルプリンタにおいて、中間調画像を記録する場合にＮ×Ｍ（Ｎ、Ｍは４以上の整数）のディザテーブルに従って二値の記録データに変換処理し、この二値の記録データに基づいて前記記録ヘッドによる記録を制御するとともに、改行する際には前記ディザテーブルの
最下行を除く
の下
の上
　【請求項２】　前記制御部は、前記紙送りローラによる改行時の記録紙の搬送量を記録行
の下
　【請求項
３
１
　【請求項
４
３
【発明の詳細な説明】
　【０００１】
　【発明の属する技術分野】
　本発明はシリアルプリンタに係り、特に、中間調画像を良好な記録状態に記録できるシリアルプリンタに関する。
　【０００２】
　【従来の技術】
　従来、中間調画像をディザ法によりディザテーブルを用いて２値の記録データとし、この二値化された記録データに基づいて記録ヘッドの記録素子を選択的に駆動させて記録紙に記録を行なうシリアルプリンタが知られている。
　【０００３】
　従来の一般的なシリアルプリンタは、プリンタ本体のほぼ中央部に平板状のプラテンを配設しており、このプラテンの前側下方には、キャリッジシャフトが前記プラテンと平行に配設されている。このキャリッジシャフトには、キャリッジが前記プラテンに沿って往復動自在に取付けられている。前記キャリッジの先端部には、前記プラテンに対向するように複数の発熱素子を有する記録ヘッドが取付けられており、前記キャリッジの上面には、インクリボンを収納し、このインクリボンを前記記録ヘッドと前記プラテンとの間に案内するリボンカセットが装着されるようになされている。さらに、前記キャリッジの上面には、前記リボンカセットのインクリボンを巻取るための巻取りボビンが配設されている。
　【０００４】
　また、前記プラテンの後方には、記録紙をプラテンの前方に送る用紙挿入口が形成されており、前記用紙挿入口の部分には、所定速度で前記記録紙を搬送する搬送機構たる紙送りローラが配設されている。この紙送りローラの下方には、この紙送りローラに圧接される圧接ローラが回転自在に配設されており、前記紙送りローラとこの圧接ローラとの間に用紙挿入口から挿入される記録紙を挟持して搬送するようになされている。
　【０００５】
　そして、前記記録ヘッドや前記紙送りローラには、これらを制御する制御部が連結されている。この制御部は、コンピュータ等の外部装置から入力される記録データに基づいて前記記録ヘッドを駆動させて所望の記録を施したり、あるいは、プリンタ本体にイメージスキャナを配設して、このイメージスキャナで読み込んだ画像データを所定のしきい値に基づき２値化処理し、その２値の記録データに基づいて白（１）または黒（２）の記録を施すように制御を行なうようになっている。
　【０００６】
　たとえば、前記記録ヘッドの前記発熱素子が８の倍数である１４４ドットあるいは１６０ドットの記録ヘッドにより、８行×８列のディザテーブルを用いて中間調画像を記録する場合には、８×８＝６４階調で表示されたすべての濃度値の記録データが使用されるように記録ヘッドの発熱素子を駆動して１行分記録し、前記紙送りローラによる改行後の記録は、次の濃度値の記録データに基づき前記ディザテーブルの第１行目の濃度に関する記録データから記録を行なうようにされている。
　【０００７】
　前記従来のシリアルプリンタにおいては、前記用紙挿入口から記録紙を挿入し、この記録紙を前記紙送りローラと圧接ローラとの間に挟み込んで、紙送りローラを回転駆動させることにより、前記記録紙をキャリッジの移動方向と直交方向に所定速度で搬送する。一方、前記制御部が２値の記録データに基づいて前記記録ヘッドを前記記録紙に対して所定の圧接力で圧接させ、この状態で前記キャリッジを移動させるとともに、前記巻取りボビンを回転させてリボンカセットのインクリボンを巻取りながら、前記記録ヘッドを所望の記録信号に基づいて駆動することにより、前記インクリボンのインクを前記記録紙に溶融、転写して所望の記録を行なうものである。そして、１行分の記録が終了すると、改行のために前記記録ヘッドの記録幅分の紙送りを行なって次行の記録を行なうようになっている。
　【０００８】
　【発明が解決しようとする課題】
　しかし、このような従来のシリアルプリンタにおいては、記録紙に１行の記録を行なった後に、次の行の記録を行なう場合に、各記録行のインク間に間隙が形成されないように、紙送りローラの回転を制御するものであるが、この紙送りローラによる紙送り誤差により、図７および図８に示すように、記録紙に記録された各記録行の記録の境界部分において、次の記録行の記録が前の記録行の記録に重なってしまうことがあり、このような各記録の重なりが生じると、この重なり部分が濃く見える、いわゆる、ブラックラインが生じてしまい、記録品質の低下を招いてしまうという問題を有していた。
　【０００９】
　一方、前記紙送りローラによる記録紙の紙送り量が大きい場合には、行間に白い筋のホワイトラインが生じてしまうという問題があった。
　【００１０】
　このため、従来のシリアルプリンタにおいては、紙送りローラによる改行の際に、改行前後の記録行において、常に１ドットが重なるように記録紙の改行を行なって、記録行の下端部の１ドットと次行の上端部の１ドットとの記録を同一の記録データに基づいて行なうことが提案されている。
　【００１１】
　しかし、紙送りローラが改行精度にバラツキを有しており、さらに、改行位置についてはなんら特別の配慮がなされるように制御していないため、ブラックラインの発生を防止することはできなかった。たとえば、図７は従来のシリアルプリンタによる改行前後の記録状態を示した図であり、この図のＤで示すように、改行前後の記録状態はきわめて不自然な記録状態を呈し、この位置において改行を行なったときに前記紙送りローラによる前記記録紙の搬送量に誤差が生じてしまうと、記録不良による記録品質の低下につながるおそれがある。また、図８および図９は、従来のシリアルプリンタによる記録の際に紙送りローラの改行精度にバラツキが生じてしまったときの記録状態を示した図である。
　【００１２】
　このうち、図８は紙送りローラによる記録紙の搬送量が所定の搬送量よりも多く搬送してしまった場合の記録状態を示しており、Ｅで示す位置における記録が上下方向へ長くなっているとともに、ブラックラインも発生してしまっている。
　【００１３】
　一方、図９は、逆に記録紙を所定の搬送量よりも少なく搬送してしまった場合の記録状態を示した図である。この図のＦで示す位置からも明らかなように、改行位置における記録は他の記録部分に比べて上下方向に短くなっており、さらにブラックラインも発生してしまっている。
　【００１４】
　本発明はこのような問題点に鑑みてなされたもので、紙送りローラの改行精度のバラツキによる影響を抑制するとともに、良好な記録を施すことのできるシリアルプリンタを提供することを目的とするものである。
　【００１５】
　【課題を解決するための手段】
　前記目的を達成するため本発明に係る請求項１に記載のシリアルプリンタ
は、ディザテーブルの最下行を除く特定行において改行するように制御するとともに、
の下
の上
　【００１６】
　また、請求項２に記載のシリアルプリンタは、請求項１において、紙送りローラによる改行時の記録紙の搬送量を記録行
の下
　【００１７】
　【００１８】
　また、請求項３に記載のシリアルプリンタは、請求項１において、改行前後における記録行の記録データのうち同一の記録データに基づいて記録する場合に、その同一の記録データのうち特定位置の記録データを改行前または改行後のいずれか一方の記録行において記録しないように制御する制御部を配設し、ブラックラインの発生を防止することのできることを特徴としている。
　【００１９】
　また、請求項４に記載のシリアルプリンタは、請求項３において、記録データのうち記録をしない特定位置を記録データの濃度値を基準として決定するように制御する制御部を配設し、よりブラックライン等の記録不良が目立たないような記録を行なえることを特徴としている。
　【００２０】
　【発明の実施の形態】
　以下、本発明のシリアルプリンタの実施の一形態を図１乃至図６を参照して説明する。
　【００２１】
　図１は本発明のシリアルプリンタの実施の一形態を示したもので、このシリアルプリンタのフレーム１のほぼ中央部には、平板状のプラテン２がその記録面をほぼ垂直となるように配設されており、前記フレーム１の前記プラテン２の前側下方には、キャリッジシャフト３が前記プラテン２と平行に配設されている。また、前記フレーム１の前端縁には、フランジ状のガイド部４が形成されており、前記キャリッジシャフト３および前記ガイド部４には、キャリッジ５が前記キャリッジシャフト３およびガイド部４に沿って往復動自在に取付けられている。前記キャリッジ５の先端部には、前記プラテン２に対向するように複数の発熱素子（図示せず）を有する記録ヘッド６が取付けられており、前記キャリッジ５の上面には、インクリボンを収納し、このインクリボンを前記記録ヘッド６とプラテン２との間に案内するリボンカセット（図示せず）が装着されるようになされている。さらに、前記キャリッジ５の上面には、前記リボンカセットのインクリボンを巻取るための巻取りボビン７が配設されている。
　【００２２】
　また、前記プラテン２の後方には、記録紙（図示せず）をプラテン２の前方に送る用紙挿入口８が形成されており、前記用紙挿入口８の部分には、所定速度で前記記録紙を搬送する搬送機構たる紙送りローラ９が配設されている。この紙送りローラ９の下方には、この紙送りローラ９に圧接される圧接ローラ１０が回転自在に配設されており、前記紙送りローラ９とこの圧接ローラ１０との間に用紙挿入口８から挿入される記録紙を挟持して搬送するようになされている。
　【００２３】
　そして、前記キャリッジ５、前記記録ヘッド６および前記紙送りローラ９には、これらを制御する制御部１１が連結されている。この制御部１１は、図示しないイメージスキャナが読み込んだ写真等の中間調画像をシリアルプリンタにより記録するために、この中間調画像の画像データを例えば６４階調の濃度データとして変換処理を行なう。そして、この６４階調に変換処理した濃度データを図２に示すような８行×８列のディザテーブルに従って１（白）または２（黒）の２値化処理を行なう。したがって、前記制御部１１はこの２値の記録データに基づいて前記記録ヘッド６を制御し、所望の記録を行なうようにされている。ここで、図２に示すディザテーブルの８行×８列に分割された各ブロックは、前記記録ヘッド６の各ドットピッチに１：１に対応しており、Ｘ方向およびＹ方向への記録方向に連続してそれぞれ対応されている。なお、図２に示すディザテーブルの各行は、第１行から第８行までを▲１▼から▲８▼により示しており、各列は第１列から第８列までをａ列からｈ列により示している。さらに、ここでのディザテーブルは８行×８列のものとされているが、これに限られるものではなく、任意のＮ×Ｍ（ＮおよびＭは、それぞれ４以上の整数）であってもよい。
　【００２４】
　また、前記制御部１１は、２値画像処理により得られた２値の記録データに基づいて所定の発熱素子だけを発熱させて１行分の記録を行い、改行の際には前記紙送りローラ９を制御して、前行の記録行の下端部のドットに次の記録行の上端部のドットが少なくとも１ドット分重なるように前記記録ヘッド６の記録幅よりも短い量だけ搬送する。
　【００２５】
　より具体的に説明すると、図３に示すように、前記記録ヘッド６のドット数がＮドットであるとすると、前述のごとく８×８のディザテーブルに従って記録する場合には、Ｎドットすべての発熱素子を動作させるのでなく、１行当りの記録ドット数は（Ｎ−３）ドットとされる。そして、２行目以降の第１ドット目の記録データは、前行の第（Ｎ−３）ドット目の記録データと同一の記録データに基づき記録を行なう。このとき、２行目以降における第１ドット目の記録データは、ブラックラインの発生を低減させるため、間引き処理、つまり、図２で示したディザテーブルのうち特定の列について記録しないようにされている。この間引き処理を行なう位置は改行位置によって濃度値等を基準として予め決定されており、図２に示すディザテーブルの第１行が改行位置となる場合には、第ｅ列と第ｈ列の記録データを間引くこととされており、第５行が改行位置となる場合には、第ａ列および第ｄ列の記録データを間引くこととされている。
　【００２６】
　また、この間引き処理を行なう位置は、改行後の第１ドット目に限る必要はなく、前行の最終ドット、つまり第（Ｎ−３）ドット目の記録データの特定位置とするようにしてもよい。
　【００２７】
　そして、前記紙送りローラ９により記録紙を搬送する場合には、前行の第（Ｎ−３）ドット目の記録と次行の第１ドット目の記録とが重なるように、前記記録紙を（Ｎ−４）ドット分搬送するようにされている。なお、ここでは改行前後の記録が重なる範囲を記録ヘッド６の１ドット分の範囲とされているが、この範囲に限られるものではなく、必要に応じて、２ドット分重なるように記録紙を搬送するようにしてもよいし、この場合には、重複する２ドットを同一の記録データに基づいて記録するようにすればよい。
　【００２８】
　つぎに、このような構成のシリアルプリンタによる作用について、より具体的な数値を用いて説明する。前記記録ヘッドは、一般的に８の倍数である１４４ドットまたは１６０ドットであるため、この記録ヘッドを１６０ドットとすれば、第１行を記録するときの第（Ｎ−３）ドット目である第１５７ドット目の記録データは、前記ディザテーブルの▲５▼で示す第５行の記録データに基づいて記録される。この記録後、記録紙が紙送りローラにより記録ヘッドの１５６ドットに相当する量だけ搬送されて改行されると、第２行目を記録するときの第１ドット目の記録は、前行の第１５７ドット目と重なって記録されることとなり、その記録データは前記第１５７ドット目の記録データと同一の記録データである前記ディザテーブルの第５行の記録データに基づいて記録される。このとき、ブラックラインの発生を防止するため、第５行の記録データのうち第ａ列および第ｄ列の記録データを間引き処理し記録を行なわれないようにされている。そして、この第２行目の第１５７ドット目の記録は、前記ディザテーブルの第１行の記録データに基づいて記録されることとなり、さらに次の第３行目を記録するときには、この第３行目の第１ドット目の記録と前記第２行目の第１５７ドット目の記録とが重なるようにして記録され、その記録データも同一の記録データである前記ディザテーブルの第１行の記録データに基づいて記録される。ただし、この記録データのうち第ｅ列および第ｈ列の記録データは間引き処理され記録されないようにされている。
　【００２９】
　なお、本実施の一形態においては改行位置を前記ディザテーブルの第１行または第５行としているが、この位置に限られるものではなく、記録データおよびディザテーブルを考慮して最もホワイトラインあるいはブラックラインの目立ちにくい位置を任意に選択すればよい。つぎに、本発明のシリアルプリンタの実施の一形態により得られた記録結果を図４乃至図６に示す。
　【００３０】
　図４は、前記ディザテーブルの第５行の位置で改行して記録したものを示した図である。Ａで示した位置が改行位置であるが、従来例で示した図７のＤ位置と比較しても明らかなように、このディザテーブルの第５行の位置において改行すると、改行前と改行後における記録状態の相違がきわめて小さく違和感のない記録が得られる。したがって、前記紙送りローラ９による搬送精度にバラツキが生じたとしても、記録状態に及ぼす影響が小さくてすむこととなる。
　【００３１】
　また、図５および図６は、紙送りローラ９による記録紙の搬送搬送精度にバラツキが生じてしまった場合の記録状態を示した図である。このうち、図５は記録紙を所定の搬送量よりも多く搬送してしまった場合の記録状態を示している。図５のＢで示す位置がその改行位置にであり、従来例で示した図８のＥ位置と比較しても明らかなように、他の記録部分との違和感がなくきわめて自然な記録状態を呈している。これは、改行前の最終の記録ドットと改行後の最初の記録ドットとが、同一の記録データに基づいて記録されているためであり、これによりホワイトラインまたはブラックラインが生じることもなく良好な記録を得ることができる。
　【００３２】
　一方、図６は記録紙を所定の搬送量よりも少なく搬送してしまった場合の記録状態を示している。図６のＣで示す位置が当該改行位置に該当しており、従来例で示した図９のＦ位置と比較しても明らかなように、ブラックラインが生じてしまうこともなく、周囲の記録状態とも自然な状態で合致しており良好な記録状態を呈している。
　【００３３】
　したがって、本発明の実施の一形態によれば、紙送りローラによる記録紙の改行精度にバラツキが生じたとしても、改行位置がブラックライン等の目立ちにくい位置に特定しており、さらに改行前後の一部を重複するように搬送し、その重複位置における記録は同一の記録データに基づき記録を行ない、かつ、ディザテーブルの特定の列を間引き処理するため、記録状態にほとんど影響を及ぼすことはなく、きわめて良好な記録状態を得ることができる。
　【００３４】
　なお、本発明は前記実施の一形態のものに限定されるものではなく、必要に応じて種々変更することが可能である。
　【００３５】
　たとえば、前述のディザテーブルは８行×８列のものに限られるものではなく、他の行列に分割したディザテーブルを使用してもよい。
　【００３６】
　【発明の効果】
　以上述べたように本発明に係るシリアルプリンタは、紙送りローラによる記録紙の搬送精度に誤差が生じたとしても、記録に及ぼす影響を抑制しきわめて良好な記録状態を得ることのできる等の効果を奏する。
【図面の簡単な説明】
　【図１】
　本発明に係るシリアルプリンタの実施の一形態を示す図
　【図２】
　本発明に係るシリアルプリンタの実施の一形態における画像処理に使用されるディザテーブル
　【図３】
　本発明に係るシリアルプリンタの実施の一形態の搬送量に関する説明図
　【図４】
　図１による記録状態を示す図
　【図５】
　図１による記録状態を示す図
　【図６】
　図１による記録状態を示す図
　【図７】
　従来のシリアルプリンタによる記録状態を示す図
　【図８】
　従来のシリアルプリンタによる記録状態を示す図
　【図９】
　従来のシリアルプリンタによる記録状態を示す図
　【符号の説明】
　２　プラテン
　５　キャリッジ
　６　記録ヘッド
　９　紙送りローラ
　１１　制御部